(57)【要約】【課題】突入電流に起因する電源電圧の変動を抑制することができる加熱装置、および画像形成装置を提供すること。【解決手段】実施形態の加熱装置は、複数の発熱体と、制御部とを備える。複数の発熱体は、電力によって発熱する。制御部は、前記複数の発熱体に含まれる第１の発熱体に対して、発熱開始タイミングから一定期間、間欠的に通電した後、連続的に通電し、その後、前記第１の発熱体への通電を終了するタイミングと、前記複数の発熱体に含まれる第２の発熱体への通電を開始するタイミングとを一致させて、前記第２の発熱体への連続的な通電を行う。【選択図】図２
2015121603.tif 000002
【特許請求の範囲】
【請求項１】
電力によって発熱する複数の発熱体と、
前記複数の発熱体に含まれる第１の発熱体に対して、発熱開始タイミングから一定期間、間欠的に通電した後、連続的に通電し、その後、前記第１の発熱体への通電を終了するタイミングと、前記複数の発熱体に含まれる第２の発熱体への通電を開始するタイミングとを一致させて、前記第２の発熱体への連続的な通電を行う制御部と、
を備える加熱装置。
【請求項２】
前記制御部は、
前記複数の発熱体に含まれる第１の発熱体に対して、発熱開始タイミングから一定期間、間欠的に通電した後、連続的に通電し、その後、前記第１の発熱体への通電を終了するタイミングと、前記複数の発熱体に含まれる第２の発熱体への通電を開始するタイミングとを一致させて、前記第２の発熱体への連続的な通電を行う第１の状態と、
前記複数の発熱体に含まれる第１の発熱体に対して、発熱開始タイミングから一定期間、間欠的に通電した後、連続的に通電し、その後、前記第１の発熱体への通電を終了するタイミングと、前記複数の発熱体に含まれる第２の発熱体への通電を開始するタイミングとを一致させず、前記第２の発熱体に対して、発熱開始タイミングから一定期間、間欠的に通電した後、連続的に通電する第２の状態と、
を切り替え可能である、
請求項１記載の加熱装置。
【請求項３】
前記制御部は、交流電源の電圧の値が閾値を跨ぐタイミングに基づいて生成される第１の信号に基づいて、前記複数の発熱体への通電の開始タイミングおよび終了タイミングを決定する、
請求項１または２記載の加熱装置。
【請求項４】
前記制御部は、前記第１の信号と、周期が前記交流電源の周期の１／２以下であり、且つデューティ比が１：１の第２の信号とに基づいて決定されるタイミングで、前記間欠的な通電を行う、
請求項３に記載の加熱装置。
【請求項５】
前記制御部は、前記複数の発熱体の温度に基づいて、前記第１の状態と前記第２の状態とのいずれで前記複数の発熱体を制御するかを決定する、
請求項２に記載の加熱装置。
【請求項６】
請求項１から５のうちいずれか１項記載の加熱装置を備え、前記複数の発熱体を定着器の熱源として使用する画像形成装置。
【発明の詳細な説明】
【技術分野】
【０００１】
本発明の実施形態は、加熱装置、および画像形成装置に関する。
【背景技術】
【０００２】
従来、複数のランプを加熱ローラの熱源として用いた定着装置、並びにこれを用いた画像形成装置が知られている（例えば、特許文献１参照）。
従来の装置では、ランプをオンしたときに生じる突入電流に起因する電源電圧の変動を十分に抑制することができない場合があった。
【先行技術文献】
【特許文献】
【０００３】
【特許文献１】特開２０１２−００８３２５号公報
【発明の概要】
【発明が解決しようとする課題】
【０００４】
本発明が解決しようとする課題は、突入電流に起因する電源電圧の変動を抑制することができる加熱装置、および画像形成装置を提供することである。
【課題を解決するための手段】
【０００５】
実施形態の加熱装置は、複数の発熱体と、制御部とを備える。複数の発熱体は、電力によって発熱する。制御部は、前記複数の発熱体に含まれる第１の発熱体に対して、発熱開始タイミングから一定期間、間欠的に通電した後、連続的に通電し、その後、前記第１の発熱体への通電を終了するタイミングと、前記複数の発熱体に含まれる第２の発熱体への通電を開始するタイミングとを一致させて、前記第２の発熱体への連続的な通電を行う。
【図面の簡単な説明】
【０００６】
【図１】実施形態に係る画像形成装置１の内部構成の一例を示す透視図である。
【図２】定着器３０およびその制御関係の構成の一例を示す図である。
【図３】順次点灯時における状態変化の一例を示すタイミングチャートである。
【図４】間欠的な通電が行われる期間Ｔ１における状態変化の一例を、より詳細に示すタイミングチャートである。
【図５】図３に示す状態変化の一部を、より詳細に示すタイミングチャートである。
【図６】単独点灯時における状態変化の一例を示すタイミングチャートである。
【図７】制御ＣＰＵ４０により実行される処理の流れの一例を示すフローチャートである。
【図８】一例として３つのランプを備える場合の順次点灯時における状態変化の一例を示すタイミングチャートである。
【図９】一例として４つのランプを備える場合の順次点灯時における状態変化の一例を示すタイミングチャートである。
【発明を実施するための形態】
【０００７】
以下、図面を参照し、加熱装置、及び画像形成装置の実施形態について説明する。
［構成］
図１は、実施形態に係る画像形成装置１の内部構成の一例を示す透視図である。画像形成装置１は、例えば、シートにトナー像を形成可能な複合機（ＭＦＰ；Multi  Function  Peripheral）である。画像形成装置１は、例えば、プリンタ機能、コピー機能、スキャン機能等を有する。
【０００８】
画像形成装置１は、例えば、スキャン部１０と、プリント部２０と、を備える。スキャン部１０は、オートフィード部１２と、読取部１４と、原稿排出トレイ１６とを備える。オートフィード部１２は、原稿を読取部１４上に案内すると共に、読み取りが終了した原稿を読取部１４上から原稿排出トレイ１６に送り出す。読取部１４は、所定の位置にセットされた原稿から、走査光学系によって画像データを読み込み、読み込んだ画像データをプリント部２０に出力する。
【０００９】
プリント部２０は、スキャン部１０によって読み取られた画像データや、外部機器から受信された画像データに基づいて、トナー像をシート上に形成する。ピックアップローラ２２―１〜２２―３は、カセット２１―１〜２１―３からシートをピックアップし、シート搬送路内に供給する。プリント部２０では、複数のローラ対が、シート搬送路内に供給されたシートを所定の搬送方向へ向けて搬送する。
【００１０】
スキャン部１０によって読み取られ、又は外部機器から入力された画像データは、例えば、レッド（Ｒ）、グリーン（Ｇ）、ブルー（Ｂ）で表されている。この場合、画像形成装置１は、入力された画像データを、画像処理によってイエロー（Ｙ）、マゼンタ（Ｍ）、シアン（Ｃ）、ブラック（Ｋ）の画像データに変換する。レーザやＬＥＤ等を含む書き込み部は、画像データに基づいて感光体２３Ｙ、２３Ｍ、２３Ｃおよび２３Ｋの感光面上に、静電潜像を形成する。ＬＥＤは、Light  Emitting  Diodeの略である。現像ローラ２５Ｙ〜２５Ｋは、静電潜像が形成された感光体２３Ｙ〜２３Ｋに、ミキサー２４Ｙ〜２４Ｋにより攪拌されたトナーを供給する。これにより、感光体２３Ｙ〜２３Ｋの感光面上に形成された静電潜像が顕像化される。
【００１１】
このようにして感光体２３Ｙ〜２３Ｋ上に形成されたトナー像は、中間転写ベルト２６のベルト面上に転写される（一次転写）。中間転写ベルト２６の回転によって搬送されるトナー像は、所定の二次転写位置２７において、搬送されるシート上に転写される。加熱部材および加圧部材を備える定着器３０は、シート上に転写されたトナー像を、シートに加熱定着させる。トナー像が加熱定着されたシートは、複数の搬送ローラ対によって搬送路内を搬送され、シート排出トレイ２９上に順次排出される。
【００１２】
図２は、定着器３０およびその制御関係の構成の一例を示す図である。中間転写ベルト２６からシートＳが供給される定着器３０は、加熱ローラ３１と、加圧ローラ３５とを備える。加熱ローラ３１と加圧ローラ３５は、シートＳを加熱しながら搬送し、シートＳに未定着のトナー画像を加熱して、シートＳに定着させる。加熱ローラ３１は、熱源として例えば２つのランプ３２―１、３２―２を備える。ランプ３２―１、３２―２は、温度が上昇するに連れて内部抵抗が増加する発熱体であり、例えばハロゲンランプである。ランプ３２―１、３２―２には、それぞれ温度センサ３２―１Ａ、３２―２Ａが取り付けられている。本実施形態では、定着器３０は、一例として２つのランプを備えるものとしたが、３つ以上のランプを備えるものとしてもよい。また、以下の説明において、いずれのランプであるかを区別しないときは、単にランプ３２と表記する。温度センサ３２―１Ａ、３２―２Ａは、測定した温度を示す信号を制御ＣＰＵ（Central  Processing  Unit）４０に出力する。加熱ローラ３１と加圧ローラ３５は、互いに逆方向に回転することで、図２における矢印方向にシートＳを搬送する。
【００１３】
制御ＣＰＵ４０は、定着器３０および駆動回路６０を制御し、これらと共に加熱装置７０を構成する。制御ＣＰＵ４０は、例えば、画像形成装置１を統括制御するＣＰＵである。なお、制御ＣＰＵ４０は、画像形成装置１を統括制御するＣＰＵとは別体の、定着器３０を制御する専用ＣＰＵであってもよい。制御ＣＰＵ４０は、温度センサ３２―１Ａ、３２―２Ａから入力された信号や、図示しない操作パネル等から入力される画像形成装置１の作動要求信号等に基づく処理を行う。そして、制御ＣＰＵ４０は、処理結果として得られる制御信号Ｃｔを駆動回路６０に出力する。制御ＣＰＵ４０は、基本的には、温度が所定値未満となったランプ３２に通電して発熱させるように駆動回路６０および定着器３０を制御する。また、制御ＣＰＵ４０は、連続して多量の印刷が行われる場合など、多くの熱量がシートＳに奪われるような場合には、ランプ３２に比較的長時間、通電して発熱させるようにしてもよい。画像形成装置１では、（１）２つのランプを継ぎ目なく順に点灯させて発熱させる状態と、（２）１つのランプ３２を単独で点灯させて発熱させる状態と、が生じる。以下、上記（１）の状態を生じさせる制御状態を「順次点灯」と、（２）の状態を生じさせる制御状態を「単独点灯」と、それぞれ称する。制御ＣＰＵ４０は、これらの２つの状態を含む複数の状態において、異なる態様で各ランプ３２に対する制御信号Ｃｔを生成する。
【００１４】
駆動回路６０には、例えば、画像形成装置１に供給される交流電源５０の電圧が入力される。交流電源５０は、例えば商用電源である。駆動回路６０は、例えば、定圧電源回路と共通基盤上に設けられ、ゼロクロス検出部６１と、通電制御部６２とを備える。ゼロクロス検出部６１は、例えばフォトトライアックカプラである。ゼロクロス検出部６１は、交流電源５０の電圧が閾値を跨ぐ（ゼロクロスする）タイミングでゼロクロス信号Ｚｃを通電制御部６２に出力する。閾値は、例えば、交流電源５０の電圧の中心値付近に予め設定される。通電制御部６２は、制御信号Ｃｔに応じた状態を、ゼロクロス信号Ｚｃに基づいて決定されるタイミングで実現するように、ランプ３２―１、３２―２の通電制御を行う。
【００１５】
［順次点灯時の制御］
図３は、順次点灯時における状態変化の一例を示すタイミングチャートである。時刻ｔ０において、制御ＣＰＵ４０は、ランプ３２―１、３２―２を継ぎ目なく順に点灯させることを決定する。そして、制御ＣＰＵ４０は、期間Ｔ１の間、一定周期でオン／オフ状態を繰り返す制御信号Ｃｔ（１）を生成し、駆動回路６０に出力することを開始する。以下、制御信号Ｃｔ（１）は、ランプ３２―１を指定した制御信号Ｃｔを意味し、制御信号Ｃｔ（２）は、ランプ３２―２を指定した制御信号Ｃｔを意味するものとする。通電制御部６２は、制御信号Ｃｔ（１）が入力されるのに応じてランプ３２―１に間欠的に通電して発熱させる。期間Ｔ１は、例えば２４０［ｍｓ］程度であり、予め時間的な長さが決定されていてよい。
【００１６】
図４は、間欠的な通電が行われる期間Ｔ１における状態変化の一例を、より詳細に示すタイミングチャートである。なお、図４に示す状態変化は、図３における期間Ｔ１（時刻ｔ０〜ｔ１の間）の状態変化の一部を抜き出して、より詳細に示したものである。必ずしも、図４における時刻ｔ１０が図４における時刻ｔ５よりも後であることを意味するものではない。図４では、いずれのランプ３２に対する制御であるかを区別していない。図示するように、ゼロクロス検出部６１は、交流電源５０の電圧（図中、ＡＣ入力と表記）が閾値を跨ぐタイミングでゼロクロス信号Ｚｃを出力する。交流電源５０がＡＣ１００Ｖ、５０［Ｈｚ］の商用電源である場合、交流電源５０の周期Ｔａｃは２０［ｍｓ］である。これに対し、間欠的な通電が行われる際の制御信号Ｃｔの周期Ｔｃｔは、交流電源５０の周期Ｔａｃの１／２以下、例えば８［ｍｓ］に設定される。また、間欠的な通電が行われる際の制御信号Ｃｔは、デューティ比が１：１の信号として生成される。
【００１７】
通電制御部６２は、ゼロクロス信号Ｚｃが入力されたタイミングにおける制御信号Ｃｔの状態に基づいて、ランプ３２への通電状態を決定する。通電制御部６２は、ゼロクロス信号Ｚｃが入力されたタイミングにおいて制御信号Ｃｔがオン状態であり、且つ通電状態がオフ状態であれば、通電状態をオン状態に変更する。通電制御部６２は、ゼロクロス信号Ｚｃが入力されたタイミングにおいて、制御信号Ｃｔがオン状態であり、且つ通電状態がオン状態であれば、オン状態を継続する。通電制御部６２は、ゼロクロス信号Ｚｃが入力されたタイミングにおいて、制御信号Ｃｔがオフ状態であり、且つ通電状態がオン状態であれば、通電状態をオフ状態に変更する。通電制御部６２は、ゼロクロス信号Ｚｃが入力されたタイミングにおいて、制御信号Ｃｔがオフ状態であり、且つ通電状態がオフ状態であれば、オフ状態を継続する。
【００１８】
以下、図４を参照して説明する。通電制御部６２は、ゼロクロス信号Ｚｃが入力され且つ制御信号Ｃｔがオン状態である時刻ｔ１０において通電状態をオフ状態からオン状態に変更する。また、通電制御部６２は、ゼロクロス信号Ｚｃが入力され且つ制御信号Ｃｔがオフ状態である時刻ｔ１１において通電状態をオン状態からオフ状態に変更する。また、通電制御部６２は、ゼロクロス信号Ｚｃが入力され且つ制御信号Ｃｔがオン状態である時刻ｔ１２において通電状態をオフ状態からオン状態に変更する。また、通電制御部６２は、ゼロクロス信号Ｚｃが入力され且つ制御信号Ｃｔがオフ状態である時刻ｔ１３において通電状態をオン状態からオフ状態に変更する。以下、このような繰り返しで通電状態が切り替えられる。
【００１９】
本実施形態の加熱装置７０では、順次点灯時において最初に発熱させるランプ３２に通電して発熱を開始させるタイミングから、ある程度の時間が経過するまでの間、間欠的な通電が行われる。この結果、本実施形態の加熱装置７０は、通電開始時に発生し得る突入電流による電源電圧の変動を抑制することができる。この結果、加熱装置７０は、画像形成装置１におけるフリッカ値を改善することができる。
【００２０】
また、本実施形態の加熱装置７０は、通電開始タイミングをゼロクロス信号Ｚｃに基づいて決定するため、フリッカ値を更に改善することができる。ゼロクロス信号Ｚｃは、交流電源５０の電圧が、その中心値を跨ぐタイミングで決定される。このため、ゼロクロス信号Ｚｃがオン状態になるタイミングは、通電を開始してもフリッカが発生しにくいタイミングだからである。ここで、ゼロクロス信号Ｚｃそのものに基づいて間欠的に通電することも考えられるが、その場合、交流電源５０の周期に通電周期が依存してしまう。これに対し、本実施形態の加熱装置７０は、交流電源５０と異なる周期の制御信号Ｃｔをゼロクロス信号Ｚｃと組み合わせている。これによって、本実施形態の加熱装置７０は、所望の周期で間欠的な通電を行いつつ、画像形成装置１におけるフリッカ値を改善することができる。
【００２１】
図３に戻り、説明を行う。期間Ｔ１が経過した時刻ｔ１以降、時刻ｔ２までの間、制御ＣＰＵ４０は、オン状態が継続する制御信号Ｃｔ（１）を生成し、駆動回路６０に出力する。通電制御部６２は、これに応じてランプ３２―１に連続的に通電して発熱させる。その後、制御ＣＰＵ４０は、時刻ｔ２において、制御信号Ｃｔ（１）をオン状態からオフ状態に変更すると共に制御信号Ｃｔ（２）をオフ状態からオン状態に変更する。前述したように、通電制御部６２は、ゼロクロス信号Ｚｃが入力されたタイミングにおける制御信号Ｃｔの状態に基づいて、ランプ３２への通電状態を決定する。従って、通電制御部６２は、ゼロクロス信号Ｚｃが入力される時刻ｔ３において、ランプ３２―１への通電状態をオン状態からオフ状態に変更する。また、通電制御部６２は、時刻ｔ３において、ランプ３２―２への通電状態をオフ状態からオン状態に変更する。同様に、制御ＣＰＵ４０は、時刻ｔ４において、制御信号Ｃｔ（２）をオン状態からオフ状態に変更すると共に制御信号Ｃｔ（１）をオフ状態からオン状態に変更する。通電制御部６２は、ゼロクロス信号Ｚｃが入力される時刻ｔ５において、ランプ３２―２への通電状態をオン状態からオフ状態に変更する。また、通電制御部６２は、時刻ｔ５において、ランプ３２―１への通電状態をオフ状態からオン状態に変更する。
【００２２】
図５は、図３に示す状態変化の一部を、より詳細に示すタイミングチャートである。図示するように、制御信号Ｃｔ（１）、Ｃｔ（２）が互いに切り替わる時刻ｔ２は、ゼロクロス信号Ｚｃが通電制御部６２に入力されるタイミングの狭間に相当する。このため、その時点で直ちに通電状態の切り替えは行われない。実際に通電状態が切り替えられるのは、その後の時刻ｔ３であり、そのタイムラグＲは、最大でゼロクロス信号Ｚｃの周期分となる。このタイムラグＲは、制御ＣＰＵ４０にとっての制御周期から見て十分に短いものであり、制御上の不都合は生じにくい。反面、本実施形態の加熱装置７０は、通電状態を切り替えるタイミングをゼロクロス信号Ｚｃに基づいて決定するため、フリッカ値を改善することができる。ここで、１つのランプ３２への通電終了タイミングと、他のランプ３２への通電開始タイミングを一致させているため、理論的には使用される電力は変動しない筈である。しかしながら、仮に使用される電力が変動したとしても、その変動するタイミングは、フリッカが発生しにくいタイミングである。従って、本実施形態の加熱装置７０は、フリッカ値の悪化を現実的に抑制することができる。
【００２３】
［単独点灯時の制御］
図６は、単独点灯時における状態変化の一例を示すタイミングチャートである。時刻ｔ２０において、制御ＣＰＵ４０は、期間Ｔ１の間、一定周期でオン／オフ状態を繰り返す制御信号Ｃｔ（１）を生成し、駆動回路６０に出力することを開始する。通電制御部６２は、制御信号Ｃｔ（１）が入力されるのに応じてランプ３２―１に間欠的に通電して発熱させる。期間Ｔ１が経過した時刻ｔ２１以降、時刻ｔ２２までの間、制御ＣＰＵ４０は、オン状態が継続する制御信号Ｃｔ（１）を生成し、駆動回路６０に出力する。通電制御部６２は、これに応じてランプ３２―１に連続的に通電して発熱させる。時刻ｔ２２は、例えば、ランプ３２―１の温度が所望の値まで上昇したことを制御ＣＰＵ４０が確認し、制御信号Ｃｔ（１）をオフ状態に変更したタイミングである。なお、これに代えて、制御ＣＰＵ４０は、時刻ｔ２０から時刻ｔ２２までの期間を一定期間と定めて制御を行ってもよい。
【００２４】
その後、時刻ｔ２３において、制御ＣＰＵ４０は、ランプ３２―２を指定した間欠的な制御信号Ｃｔ（２）を生成し、駆動回路６０に出力する。通電制御部６２は、これに応じてランプ３２―２に間欠的に通電して発熱させる。通電制御部６２は、期間Ｔ１が経過した時刻ｔ２４以降、時刻ｔ２５までの間、ランプ３２―１に連続的に通電して発熱させる。
【００２５】
本実施形態の加熱装置７０では、単独点灯時においても、ランプ３２に通電して発熱を開始させるタイミングから、ある程度の時間が経過するまでの間、間欠的な通電が行われる。この結果、本実施形態の加熱装置７０は、通電開始時に発生し得る突入電流による電源電圧の変動を抑制することができる。この結果、加熱装置７０は、画像形成装置１におけるフリッカ値を改善することができる。
【００２６】
［処理フロー］
以下、順次点灯と単独点灯のいずれでランプ３２を制御するかを決定する処理について説明する。図７は、制御ＣＰＵ４０により実行される処理の流れの一例を示すフローチャートである。なお、図７において、ランプ３２―１をランプ１と、ランプ３２―２をランプ２と、それぞれ略記している。
【００２７】
まず、制御ＣＰＵ４０は、ランプ３２―１の温度Ｔ１が閾値Ｔｈ１未満であるか否かを判定する（ＡＣＴ１００）。ランプ３２―１の温度Ｔ１が閾値Ｔｈ１未満である場合（ＡＣＴ１００：Ｙｅｓ）、制御ＣＰＵ４０は、ランプ３２―２の温度Ｔ２が閾値Ｔｈ２未満であるか否かを判定する（ＡＣＴ１０２）。ここで、閾値Ｔｈ１と閾値Ｔｈ２は同じ値であってもよいし、異なる値であってもよい。ランプ３２―１の温度Ｔ１が閾値Ｔｈ１未満であり、且つランプ３２―２の温度Ｔ２が閾値Ｔｈ２未満である場合（ＡＣＴ１０２：Ｙｅｓ）、制御ＣＰＵ４０は、ランプ３２―１、３２―２を順次点灯すると決定する（ＡＣＴ１０４）。ランプ３２―２の温度Ｔ２が閾値Ｔｈ２以上である場合（ＡＣＴ１０２：Ｎｏ）、制御ＣＰＵ４０は、ランプ３２―１を単独点灯すると決定する（ＡＣＴ１０６）。
【００２８】
一方、ランプ３２―１の温度Ｔ１が閾値Ｔｈ１以上である場合（ＡＣＴ１００：Ｎｏ）、制御ＣＰＵ４０は、ランプ３２―２の温度Ｔ２が閾値Ｔｈ２未満であるか否かを判定する（ＡＣＴ１０８）。ランプ３２―２の温度Ｔ２が閾値Ｔｈ２未満である場合（ＡＣＴ１０８：Ｙｅｓ）、制御ＣＰＵ４０は、ランプ３２―２を単独点灯すると決定する（ＡＣＴ１１０）。ランプ３２―２の温度Ｔ２が閾値Ｔｈ２以上である場合（ＡＣＴ１０８：Ｎｏ）、制御ＣＰＵ４０は、ランプ３２―１、３２―２のいずれも点灯しないと決定する（ＡＣＴ１１２）。
【００２９】
以上説明した少なくとも１つの実施形態によれば、ランプ３２―１に対して、発熱開始タイミングから一定期間、間欠的に通電した後、連続的に通電し、その後、ランプ３２―１への通電を終了するタイミングと、ランプ３２―２への通電を開始するタイミングとを一致させて、ランプ３２―２への連続的な通電を行うため、突入電流に起因する電源電圧の変動を抑制することができる。この結果、実施形態の加熱装置は、画像形成装置１におけるフリッカ値を改善することができる。
【００３０】
また、実施形態によれば、交流電源５０の電圧の値が閾値を跨ぐタイミングに基づいて生成されるゼロクロス信号Ｚｃに基づいて、複数のランプ３２への通電の開始タイミングおよび終了タイミングを決定するため、仮に突入電流が生じたとしてもフリッカ値が悪化する程度を抑制することができる。この結果、実施形態の加熱装置は、画像形成装置１におけるフリッカ値を更に改善することができる。
【００３１】
また、実施形態によれば、順次点灯の状態と、単独点灯の状態を切り替えることができるため、必要とされる発熱量に応じた適切な制御を行うことができる。
【００３２】
以上、本発明の実施形態を説明したが、実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３３】
例えば、上記実施形態では、発熱体としてランプ３２、特にハロゲンランプを例示したが、これに限らず、加熱装置は、他の種類の発熱体を備えてもよい。
【００３４】
また、上記実施形態では、２つのランプ３２―１、３２―２を備える構成を例示したが、３つ以上の発熱体を備えるものとしてもよい。図８は、一例として３つのランプ３２―１、３２―２、３２―３を備える場合の順次点灯時における状態変化の一例を示すタイミングチャートである。例えば、制御ＣＰＵ４０は、時刻ｔ３０においてランプ３２―１への通電状態がオフ状態からオン状態に変更されるように制御する。制御ＣＰＵ４０は、時刻ｔ３１においてランプ３２―１への通電状態がオン状態からオフ状態に、ランプ３２―２への通電状態がオフ状態からオン状態に変更されるようにする。制御ＣＰＵ４０は、時刻ｔ３２においてランプ３２―２への通電状態がオン状態からオフ状態に、ランプ３２―３への通電状態がオフ状態からオン状態に変更されるようにする。このように、制御ＣＰＵ４０は、順次３つ以上のランプ３２が点灯するように制御してよい。なお、単独点灯時の制御については、上記実施形態と同様である。
【００３５】
また、上記実施形態では、順次点灯時において、あるタイミングでは１つのランプ３２のみが点灯するものとしたが、同時に２つ以上のランプが点灯してもよい。図９は、一例として４つのランプ３２―１、３２―２、３２―３、３２―４を備える場合の順次点灯時における状態変化の一例を示すタイミングチャートである。例えば、制御ＣＰＵ４０は、時刻ｔ４０においてランプ３２―１および３２―２への通電状態がオフ状態からオン状態に変更されるように制御する。制御ＣＰＵ４０は、時刻ｔ４１においてランプ３２―１および３２―２への通電状態がオン状態からオフ状態に変更されるように制御する。また、制御ＣＰＵ４０は、時刻ｔ４１においてランプ３２―３および３２―４への通電状態がオフ状態からオン状態に変更されるように制御する。次に、制御ＣＰＵ４０は、時刻ｔ４２においてランプ３２―３および３２―４への通電状態がオン状態からオフ状態に変更されるように制御する。また、制御ＣＰＵ４０は、時刻ｔ４２においてランプ３２―１および３２―２への通電状態がオフ状態からオン状態に変更されるように制御する。このように、制御ＣＰＵ４０は、２つのランプ３２が同時に点灯するように制御してよい。なお、単独点灯時の制御については、上記実施形態と同様である。
【符号の説明】
【００３６】
１‥画像形成装置、２６‥中間転写ベルト、３０‥定着器、３１‥加熱ローラ、３２‥ランプ、３２―１Ａ、３２―２Ａ‥温度センサ、３５‥加圧ローラ、４０‥制御ＣＰＵ、５０‥交流電源、６０‥駆動回路、６１‥ゼロクロス検出部、６２‥通電制御部、７０‥加熱装置
【図１】
2015121603.tif 000003
【図２】
2015121603.tif 000004
【図３】
2015121603.tif 000005
【図４】
2015121603.tif 000006
【図５】
2015121603.tif 000007
【図６】
2015121603.tif 000008
【図７】
2015121603.tif 000009
【図８】
2015121603.tif 000010
【図９】
2015121603.tif 000011